(57)【要約】【課題】本発明は、使い勝手の良い点灯装置と照明装置を提供することを目的とする。【解決手段】整流回路と、電解コンデンサと、スイッチング素子とを有する電源回路と、該スイッチング素子の動作を制御することで、該電源回路に出力電流を出力させる制御装置と、該電源回路の温度を測定する温度検知素子と、を備え、該制御装置は、該電源回路の起動時に、該温度検知素子で検知した温度が予め定められた低温基準温度であるか、該低温基準温度より高い予め定められた通常温度であるか、を判定し、該通常温度であるときは、該低温基準温度であるときよりも、該電源回路の出力電流を早く上昇させる。【選択図】図１
2017062887.tif 000002
【特許請求の範囲】
【請求項１】
整流回路と、電解コンデンサと、スイッチング素子とを有する電源回路と、
前記スイッチング素子の動作を制御することで、前記電源回路に出力電流を出力させる制御装置と、
前記電源回路の温度を測定する温度検知素子と、を備え、
前記制御装置は、前記電源回路の起動時に、
前記温度検知素子で検知した温度が予め定められた低温基準温度であるか、前記低温基準温度より高い予め定められた通常温度であるか、を判定し、
前記通常温度であるときは、前記低温基準温度であるときよりも、前記電源回路の出力電流を早く上昇させることを特徴とする点灯装置。
【請求項２】
前記温度検知素子で検知した温度が前記低温基準温度であるときは、前記制御装置は、前記電源回路の出力電流の上昇速度を、時間の経過に伴って減少させることを特徴とする請求項１に記載の点灯装置。
【請求項３】
低温時制御プログラムと、通常温度時制御プログラムを格納した記憶部を備え、
前記制御装置は、
前記温度検知素子で検知した温度が前記低温基準温度であるときは前記低温時制御プログラムを実行することで前記スイッチング素子を制御し、
前記温度検知素子で検知した温度が前記通常温度であるときは前記通常温度時制御プログラムを実行することで前記スイッチング素子を制御することを特徴とする請求項１又は２に記載の点灯装置。
【請求項４】
前記温度検知素子は、前記電源回路の出力電流の供給を受ける発光モジュールの外壁、又は前記電解コンデンサの隣に実装したことを特徴とする請求項１〜３のいずれか１項に記載の点灯装置。
【請求項５】
前記制御装置は、ＰＷＭ（Ｐｕｌｓｅ  Ｗｉｄｔｈ  Ｍｏｄｕｌａｔｉｏｎ）信号を前記スイッチング素子に出力することを特徴とする請求項１〜４のいずれか１項に記載の点灯装置。
【請求項６】
前記温度検知素子で検知した温度が前記低温基準温度より低い温度である場合、前記制御装置は、前記電源回路に出力電流を出力させないことを特徴とする請求項１〜５のいずれか１項に記載の点灯装置。
【請求項７】
請求項１〜６のいずれか１項に記載の点灯装置を備えた照明装置。
【発明の詳細な説明】
【技術分野】
【０００１】
本発明は、例えばＬＥＤモジュールなどの制御に用いられる点灯装置及び照明装置に関する。
【背景技術】
【０００２】
食品保存用冷凍施設等の低温環境下では、ＬＥＤモジュール点灯用の電解コンデンサが凍ってしまう。特許文献１には、整流回路部に交流電流が入力されてから電解コンデンサの温度が上昇して電解コンデンサの静電容量が所定量に達するための所定の初期時間が経過するまで、目標電流量より小さい出力電流を光源に出力することが開示されている。そして、初期時間の経過後に目標電流量の出力電流を光源に出力する。つまり、特許文献１に開示の点灯装置は、電解コンデンサを解凍するために、点灯装置の起動時にゆっくり点灯開始する。
【先行技術文献】
【特許文献】
【０００３】
【特許文献１】特開２０１２−１５０５２号公報
【発明の概要】
【発明が解決しようとする課題】
【０００４】
例えば−４０℃程度の食品保存用冷凍施設等の低温環境下では、ＬＥＤモジュールの点灯に用いられる点灯装置の電解コンデンサが凍結して昇圧できなくなり起動不具合が起こる。そこで、電源投入から全光までゆっくりと立ち上げて全光点灯させることで、電解コンデンサを解凍する起動シーケンスを採用することがある。この場合、例えば１０秒程度の時間をかけてゆっくり全光点灯まで到達させる。
【０００５】
しかしながら、冷凍施設のメンテナンス等を行う際には、点灯装置は常温となる。点灯装置が常温であり、電解コンデンサの凍結がない場合にまで、低温時用の起動シーケンスにてゆっくりと全光点灯まで到達させると時間がかかるので使い勝手が悪い。
【０００６】
本発明は、上述のような課題を解決するためになされたもので、使い勝手の良い点灯装置と照明装置を提供することを目的とする。
【課題を解決するための手段】
【０００７】
本願の発明に係る点灯装置は、整流回路と、電解コンデンサと、スイッチング素子とを有する電源回路と、該スイッチング素子の動作を制御することで、該電源回路に出力電流を出力させる制御装置と、該電源回路の温度を測定する温度検知素子と、を備え、該制御装置は、該電源回路の起動時に、該温度検知素子で検知した温度が予め定められた低温基準温度であるか、該低温基準温度より高い予め定めされた通常温度であるか、を判定し、該通常温度であるときは、該低温基準温度であるときよりも、該電源回路の出力電流を早く上昇させることを特徴とする。
【発明の効果】
【０００８】
本発明の点灯装置によれば、温度センサーの測定値に基づき最適な起動時間及び出力電流制御を行うので、使い勝手のよい点灯装置を提供することができる。
【図面の簡単な説明】
【０００９】
【図１】実施の形態にかかる点灯装置を示す回路図である。
【図２】照明装置の動作を示すフローチャートである。
【図３】低温時制御プログラムによる処理シーケンスを示す図である。
【図４】通常温度時制御プログラムによる処理シーケンスを示す図である。
【発明を実施するための形態】
【００１０】
本発明の実施の形態に係る点灯装置について図面を参照して説明する。同じ又は対応する構成要素には同じ符号を付し、説明の繰り返しを省略する場合がある。
【００１１】
実施の形態．
図１は、本発明の実施の形態にかかる点灯装置１を示す回路図である。照明装置１００は、複数のＬＥＤ２７ａを備えるＬＥＤモジュール２７と、点灯装置１と、調光器２８及び調光信号インターフェイス（Ｉ／Ｆ）回路４とを備えている。点灯装置１は、直流電源２、バックコンバータ回路３及び制御装置４０を備えている。照明装置１００は、ＬＥＤモジュール２７と点灯装置１との間で無線信号を通信する通信手段を備えている。この通信手段は、無線通信用の送信部６２及び受信部４６を備えている。なお、送信部６２及び受信部４６で無線通信を行うための通信技術はすでに公知であり新規な事項ではないため、その詳細な説明は省略する。
【００１２】
ＬＥＤモジュール２７は、複数のＬＥＤ２７ａ、温度検知素子６０、温度検知回路６１及び送信部６２を備える。ＬＥＤモジュール２７は、例えば電球形、直管形、又はシーリング形などの様々な形状を取りうる。また、ＬＥＤモジュール２７は点灯装置１に対して取り外し可能なものであってもよいし、取り外しできないタイプのものであってもよい。温度検知素子６０は例えばサーミスタであり、温度検知素子６０の出力信号は温度検知回路６１に入力される。温度検知回路６１は、温度検知素子６０の出力信号から、そのＬＥＤモジュール２７内の検知温度に対して比例的な値を有する信号を生成し、その信号を送信部６２に伝達する。送信部６２は無線信号を出力する。この無線信号には温度検知素子６０で検知された温度情報が含まれる。無線信号は、制御装置４０に内蔵された受信部４６で受信される。
【００１３】
直列接続されるＬＥＤ素子２７ａの個数を５個の場合を例示したがこれに限定されず５個より多くても少なくてもよい。また、ＬＥＤ素子２７ａは、直列接続でなくてもよく、並列接続で構成してもよいし、直並列で構成してもよい。温度検知素子６０、温度検知回路６１及び送信部６２をＬＥＤモジュール２７内に配置する場合を例示したが、これらを、ＬＥＤモジュール２７とは別にユニット化して温度検知モジュールとして構成してもよい。そのような温度検知モジュールは、点灯装置１内に配置してもよいし、照明装置１００の筐体内に配置してもよいし、照明装置１００とは離れた冷凍庫内の適当な場所に配置してもよい。温度検知回路６１から制御装置４０への温度情報の通知は、無線通信でなくてもよく、配線でつないで有線で通知するように構成してもよい。温度検知素子６０は、直接的又は間接的に、直流電源２とバックコンバータ回路３で構成された電源回路の温度を測定する。
【００１４】
直流電源２は、例えば昇圧チョッパ回路で構成されており、整流回路８と、フィルムコンデンサからなるコンデンサ９と、抵抗３１、３２が直列接続した分圧回路と、インダクタ１０と、スイッチング素子Ｑ１と、ダイオード１４と、電解コンデンサ１７と、抵抗１５、１６が直列接続した分圧回路とを備えている。
【００１５】
整流回路８は、交流電源７に接続されている。コンデンサ９は整流回路８の出力端子に並列に接続されている。抵抗３１、３２が直列接続した分圧回路は、コンデンサ９に並列に接続されている。コンデンサ９の両端電圧が抵抗３１、３２を用いて分圧され、制御装置４０に入力される。
【００１６】
インダクタ１０の一端は整流回路８の高電位側に接続されている。スイッチング素子Ｑ１は本実施形態ではＭＯＳＦＥＴである。スイッチング素子Ｑ１は、第１端子（本実施形態ではドレイン）、第２端子（本実施形態ではソース）及び第１、２端子間をスイッチングするための制御端子（本実施形態ではゲート）を備えている。インダクタ１０の他端にこの第１端子が接続される。
【００１７】
ダイオード１４のアノードはスイッチング素子Ｑ１の第１端子とインダクタ１０の他端との接続点に接続されている。電解コンデンサ１７の正極は、ダイオード１４のカソードに接続されている。電解コンデンサ１７の負極は、整流回路８の低電位側に接続されている。抵抗１５、１６が直列接続した分圧回路は、この電解コンデンサ１７に並列に接続される。電解コンデンサ１７の両端電圧が抵抗１５、１６を用いて分圧され制御装置４０に入力される。
【００１８】
抵抗１５、１６は、直流電源２の出力端に設けられており、直流電源２の出力電圧検出に用いられる。抵抗１６の検出電圧が制御装置４０に入力される。制御装置４０はこの検出電圧に基づいて、直流電源２の出力電圧が一定電圧になるようにスイッチング素子Ｑ１をオンオフする。
【００１９】
バックコンバータ回路３は、スイッチング素子Ｑ２と、ダイオード２１と、インダクタ（チョークコイル）２２と、フィルムコンデンサからなるコンデンサ２３と、検出抵抗２４と、抵抗５１、５２が直列接続した分圧回路を備えている。スイッチング素子Ｑ２とダイオード２１からなる直列回路が、直流電源２の電解コンデンサ１７と並列に接続されている。
【００２０】
スイッチング素子Ｑ２は本実施形態ではＭＯＳＦＥＴである。スイッチング素子Ｑ２は第１端子（本実施形態ではドレイン）、第２端子（本実施形態ではソース）および第１、第２端子間をスイッチングするための制御端子（本実施形態ではゲート）を備えている。この第１端子が電解コンデンサ１７の正極と接続され、第２端子がダイオード２１のカソードに接続されている。インダクタ２２、コンデンサ２３及び検出抵抗２４がこの順に接続して直列回路を形成している。この直列回路はダイオード２１に並列に接続している。
【００２１】
バックコンバータ回路３に設けられた検出抵抗２４は、ＬＥＤモジュール２７に流れるＬＥＤ電流の検出に用いられる。検出抵抗２４からの検出電圧が制御装置４０に入力される。制御装置４０はこの検出電圧に基づいて、ＬＥＤモジュール２７に流れる電流が一定電流になるようにバックコンバータ回路３のスイッチング素子Ｑ２をオンオフする。つまり、制御装置４０は、スイッチング素子Ｑ２の動作を制御することで、電源回路に出力電流を出力させる。
【００２２】
抵抗５１、５２はバックコンバータ回路３の出力端に設けられている。抵抗５１、５２はＬＥＤモジュール２７の電圧検出に用いられる。抵抗５２の検出電圧が制御装置４０に入力される。制御装置４０はこの検出電圧に基づいて、ＬＥＤモジュール２７の接続の有無、異常を検出する。
【００２３】
デジタル電源用制御装置として提供されるマイコンは既に各種のものが公知であるため、それらの公知のマイコンを制御装置４０に適宜に使用することができる。また、制御装置４０は、ＤＳＰ（Ｄｉｇｉｔａｌ  Ｓｉｇｎａｌ  Ｐｒｏｃｅｓｓｏｒ）等の演算装置で構成することもできる。
【００２４】
制御装置４０は、内部バスを介して互いに接続された制御回路４１、４２、記憶部４３、Ａ／Ｄ変換回路４４及び処理装置４５を備えている。制御回路４１、４２は、ＰＷＭ（Ｐｕｌｓｅ  Ｗｉｄｔｈ  Ｍｏｄｕｌａｔｉｏｎ）信号をスイッチング素子Ｑ１、Ｑ２へ出力する。記憶部４３は、例えば不揮発性メモリなどからなる。記憶部４３には、処理装置４５で実行すべき演算プログラム(後述する低温時制御プログラム、通常温度時制御プログラムなど)及び演算に用いられる各種データが記憶されている。記憶部４３に対して外部からデータの書き込み及び読み出しが行われる。なお、処理装置４５は例えばプロセッサである。
【００２５】
処理装置４５は、スイッチング素子Ｑ１、Ｑ２のスイッチング制御におけるオン時間などを算出する。制御装置４０には、抵抗１５，１６で分圧された直流電源２の出力電圧に応じた電圧、抵抗３１、３２で分圧された交流電源７を整流した電圧に応じた電圧、検出抵抗２４で検知したＬＥＤ電流に応じた電圧、及び抵抗５１、５２で分圧されたバックコンバータ回路３の出力電圧に応じた電圧が入力される。Ａ／Ｄ変換回路４４でこれらの電圧値がデジタル値に変換され、このデジタル値を用いて処理装置４５による演算処理が行われる。
【００２６】
制御装置４０は、抵抗１５，１６で分圧された直流電源２の出力電圧が予め記憶部４３に設定された目標電圧に一致するように、抵抗１５，１６で分圧された直流電源２の出力電圧に応じてスイッチング素子Ｑ１のオン時間を調整する。これは定電圧制御である。
【００２７】
また、制御装置４０には、調光信号Ｉ／Ｆ回路４を介して調光器２８からの調光指令値が入力される。制御装置４０は、ＬＥＤ電流がこの調光指令値に基づいて決定される目標電流に一致するように、検出抵抗２４で検知したＬＥＤ電流に基づいてスイッチング素子Ｑ２のオン時間を調整する。さらに、記憶部４３に予め書き込まれたバックコンバータ回路３の回路効率、インダクタ２２のインダクタンス値、ダイオード２１の順方向電圧値、検出回路で検出したバックコンバータ回路３の出力電流値、出力電圧値及び入力電圧値に基づいて、スイッチング素子Ｑ２の周波数を変調することで略臨界モードでの定電流制御を行っている。なお、上記の制御装置の構成は適宜変更することができる。
【００２８】
以後、照明装置１００の動作について説明する。
【００２９】
照明装置１００は、冷凍倉庫内などの低温環境下で使用される。温度検知素子６０は、ＬＥＤモジュール２７内に配置してもよいが、ＬＥＤモジュール２７の筐体の外壁に配置してもよい。後者によれば、冷凍倉庫の周囲温度を適切に検知できる。また、温度検知素子６０をＬＥＤモジュール２７から配線につないだ状態で外部に出し、冷凍倉庫内の適当な場所に配置するようにしてもよい。また、さらに好ましい例として、温度検知素子６０を凍結し易い電解コンデンサ１７の隣に実装して温度検知するように構成し、下記のような制御を行う。なお、図１では、凍結し易い部品は電解コンデンサ１７のみであり、コンデンサ９、２３は電解コンデンサではなくフィルムコンデンサであるので、凍結はしない。なお、上記では温度検知素子６０を電解コンデンサ１７の隣に配置して、電解コンデンサ１７の温度を検知する点で好ましい態様の場合を説明したが、温度検知素子６０は電解コンデンサ１７の隣でなくてもよく、電解コンデンサ１７近傍に配置すればよい。
【００３０】
図１では、１個の電解コンデンサ１７が示されている。しかし、電解コンデンサを複数個設ける場合は、温度検知素子６０も複数個用意して電解コンデンサそれぞれの近傍（好ましくは隣）に配置し、最も低温だった温度を採用すると好適である。
【００３１】
図２は、照明装置１００の動作を示すフローチャートである。まず、交流電源７が図示しないスイッチにより点灯装置１に接続（入力）される（ステップＳ１）。そして、温度検知素子６０により検知した温度を含む出力信号が温度検知回路６１に入力される。温度検知回路６１は、その出力信号から、検知温度に対して比例的な値を有する信号を生成し、その信号を送信部６２に伝達する。送信部６２はその信号を無線信号で出力し、制御装置４０に内蔵された受信部４６がそれを受信する（ステップＳ２）。
【００３２】
制御装置４０が電源回路（直流電源２とバックコンバータ回路３）の起動時に検知温度を含む無線信号を受けると、処理装置４５は温度検知素子６０で検知した温度が予め定められた低温基準温度であるか、低温基準温度より高い予め定められた通常温度であるか、を判定する（ステップＳ３）。低温基準温度とは例えば−３０℃以下の温度である。通常温度とは例えば−３０℃より高い温度である。なお、低温基準温度と通常温度の情報は記憶部４３に格納しておくことが好ましい。
【００３３】
ステップＳ３において、照明装置１００が−３０℃以下の温度（低温基準温度）であることが判明した場合、処理装置４５は、記憶部４３に予め格納した低温時制御プログラムを実行する。
【００３４】
(低温時制御プログラム) 
図３は、低温時制御プログラムによる処理シーケンスを示す図である。処理装置４５は、交流電源７が投入されてから０．７秒までは調光率０％を維持し、さらに１秒後の１．７秒後には調光率５０％点灯できるように、しかも０．７秒から１．７秒までＬＥＤ２７ａへの調光率を一定速度で上昇させるように、制御回路４２に制御信号を送る。制御回路４２は、その制御信号をもとにスイッチング素子Ｑ２のオン時間を制御して、０．７秒から１．７秒までの１秒間、一定速度で調光率を上昇させるとともに、１．７秒後に調光率５０％点灯させる（ステップＳ４）。
【００３５】
処理装置４５は、低温時照明制御プログラムに基づき、１．７秒から２．１秒までの０．４秒間、調光率５０％点灯を保持するように、制御回路４２に制御信号を送る。制御回路４２は、その制御信号をもとにスイッチング素子Ｑ２のオン時間を制御して、上記０．４秒間、調光率５０％点灯を保持する。
【００３６】
処理装置４５は、低温時照明制御プログラムに基づき、さらに２．１秒から３．４秒までＬＥＤ２７ａへの調光率を一定速度で上昇させるように、しかも３．４秒後には調光率７０％点灯できるように、制御回路４２に制御信号を送る。制御回路４２は、その制御信号をもとにスイッチング素子Ｑ２のオン時間を制御して、２．１秒から３．４秒までの１．３秒間、一定速度で調光率を上昇させるとともに、３．４秒後に調光率７０％点灯させる（ステップＳ５）。
【００３７】
処理装置４５は、低温時照明制御プログラムに基づき、３．４秒から３．８秒までの０．４秒間、調光率７０％点灯を保持するように、制御回路４２に制御信号を送る。制御回路４２は、その制御信号をもとにスイッチング素子Ｑ２のオン時間を制御して、上記０．４秒間、調光率７０％点灯を保持する。
【００３８】
処理装置４５は、低温時照明制御プログラムに基づき、さらに３．８秒から７．１秒までＬＥＤ２７aへの調光率を一定速度で上昇させるように、しかも７．１秒後には調光率１００％全光点灯できるように、制御回路４２に制御信号を送る。制御回路４２は、その制御信号をもとにスイッチング素子Ｑ２のオン時間を制御して、３．８秒から７．１秒までの３．３秒間、一定速度で調光率を上昇させるとともに、７．１秒後に調光率１００％全光点灯させる（ステップＳ６）。
【００３９】
上記のように、調光率５０％まで上昇させるのに１秒間かけているに対し、調光率５０％から調光率７０％の２０％まで上昇させるのに１．３秒かけており、さらに調光率７０％から調光率１００％まで３０％上昇させるのに３．３秒かけている。つまり、３段階の調光率上昇ステップを採用しており、調光率の上昇速度を段階ごとに徐々に低減させた。別な言い方をすれば、最初の調光率上昇ステップで短時間にたくさん電流を流して調光率５０％まで一気に上昇させ、２段目の調光率上昇ステップから３段目の調光率上昇ステップへと調光率上昇速度を低減していくよう電流量を小さくした。
【００４０】
−３０℃以下の低温下では、電解コンデンサ１７の電解液が凍結した状態になっている。調光率１００％全光時に、安定した状態で点灯できるよう、当該電解液を完全に溶かして、静電容量が所定量取れるようにする必要がある。上記のように３段階の調光率上昇ステップにより、最初短時間で調光率が早く上昇するよう多くの電流を流し、徐々に時間を長くしてゆっくりと調光率が上昇するよう電流を流すことにより、電解コンデンサ１７の電解液を効率よく解凍できる。
【００４１】
このように、温度検知素子６０で検知した温度が低温基準温度であるときは、制御装置４０は、電源回路（直流電源２とバックコンバータ回路３）の出力電流の上昇速度を、時間の経過に伴って減少させる。これにより、電解コンデンサ１７の電解液を効率よく解凍できる。なお、上記では３段階の調光率上昇ステップにより電解コンデンサ１７の電解液を解凍したが、上記制御には限定されず、低温下の温度や電解コンデンサの仕様などによって、調光率上昇ステップの上昇速度、段階数を適宜調整することができる。また、低温基準温度と通常温度は、具体的な装置に応じて適宜設定する。
【００４２】
ところで、電源回路が低温基準温度より低い温度（保証外温度）となったときのために、点灯装置１に以下の保護機能を付加してもよい。つまり、温度検知素子６０で検知した温度が低温基準温度より低い温度である場合、処理装置４５は、電源回路に出力電流を出力させない。言い換えれば、スイッチング素子Ｑ２をオンさせない。低温基準温度より低い温度（保証外温度）とは、例えば−５０℃よりも低い温度である。このような動作を自動で実施させるために、保証外温度と、保証外温度が検知されたときの制御プログラムである保護プログラムとを記憶部４３に記憶させることが好ましい。
【００４３】
他方、ステップＳ３において、照明装置１００が−３０℃より高い温度（通常温度）であることが判明した場合、処理装置４５は、記憶部４３に予め格納した通常温度時制御プログラムを実行する。
【００４４】
(通常温度時制御プログラム) 
本実施形態の照明装置１００は通常、冷凍倉庫内などの低温環境の場所に配置され、低温下で使用される。しかし、冷凍倉庫内のメンテナンス時などには、安全性を考慮し、通常温度（例えば２５℃）の環境下で作業者がメンテナンス作業を行う。このような通常温度下での照明制御について、以下に説明する。
【００４５】
図４は、通常温度時制御プログラムによる処理シーケンスを示す図である。処理装置４５は、通常温度時制御プログラムに基づき、交流電源７が投入されてから０．７秒までは調光率０％を維持し、さらに０．３秒後の１秒後には調光率５％の下限調光点灯できるように、しかも０．７秒から１秒までＬＥＤ２７ａへの調光率を一定速度で上昇させるように、制御回路４２に制御信号を送る。制御回路４２は、その制御信号をもとにスイッチング素子Ｑ２のオン時間を制御して、０．７秒から１秒までの０．３秒間、一定速度で調光率を上昇させるとともに、１秒後に調光率５％の下限調光点灯をさせる（ステップＳ７）。
【００４６】
処理装置４５は、通常温度時制御プログラムに基づき、１秒から２秒までの１秒間、調光率５％の下限調光点灯を保持するように、制御回路４２に制御信号を送る。制御回路４２は、その制御信号をもとにスイッチング素子Ｑ２のオン時間を制御して、上記１秒間、調光率５％の下限調光点灯を保持する。なお、調光信号が優先的に制御に反映されるので２秒までの期間Ｃ１は下限調光時の出力となっている。
【００４７】
処理装置４５は、通常温度時制御プログラムに基づき、さらに２秒から３．５秒までＬＥＤ２７ａへの調光率を一定速度で上昇させ、しかも３．５秒後には調光率１００％全光点灯できるように、制御回路４２に制御信号を送る。制御回路４２は、その制御信号をもとにスイッチング素子Ｑ２のオン時間を制御して、２秒から３．５秒までの１．５秒間、一定速度で調光率を上昇させるとともに、３．５秒後に調光率１００％となるように全光点灯させる（ステップＳ８）。ＰＷＭ調光（調光指令値）としては、電源投入時には９０．５％となるようにし、電源投入から２秒まで９０．５％を保持し、２秒以降は５％にて保持し、全光期間も保持する。２秒以降では調光指令値が全光となるので、この期間Ｃ２で全光へと遷移させる。
【００４８】
通常温度時において、図３に示すシーケンスで照明制御を行ってしまうと、調光率１００％（全光点灯）させるのに７．１秒もかかるため使い勝手が悪い。しかし、本発明の実施の形態に係る点灯装置１では、通常温度時には、ＡＣ投入から１秒後には５％下限調光点灯に持っていき、下限調光点灯を１秒間保持した後、２秒後から３．５秒後の１．５秒間という短時間に一気に５％下限調光点灯から１００％全光点灯状態にする。したがって、この実施の形態によれば、ＡＣ電源投入から全光点灯までの時間を、従来の２分の１程度に短縮できる。しかも、このような制御を自動で実現できるようにしたので、使い勝手がよい。
【００４９】
なお、この実施形態では、低温環境下では、ＡＣ電源投入から全光まで立ち上げるのに７．１秒かかる場合を例示した。しかし、−３０℃よりも低い例えば−４０℃程度の更に低温の環境下が予想される場合は電源投入から全光まで立ち上げるのに１０秒程度の時間をかける。通常温度時において１０秒程度の時間をかけて全光まで立ち上げるのは非常に不便である。しかし、本発明の実施の形態では、上述のとおり、通常温度時専用の立ち上げシーケンスを実行することで、迅速に全光まで到達させることができる。つまり、低温環境の温度が低ければ低いほど本発明の制御が効果的である。
【００５０】
実施の形態に係る点灯装置１の制御で重要なことは、電源回路が通常温度であるときは、電源回路が低温基準温度であるときよりも、電源回路の出力電流を早く上昇させる、ということである。この特徴を失わない範囲で様々な変形をなし得る。
【符号の説明】
【００５１】
１  点灯装置、  ２  直流電源、  ３  バックコンバータ回路、  ７  交流電源、  １７  電解コンデンサ、  ４０  制御装置、  ４３  記憶部、  ４５  処理装置、  ６０  温度検知素子
【図１】
2017062887.tif 000003
【図２】
2017062887.tif 000004
【図３】
2017062887.tif 000005
【図４】
2017062887.tif 000006